(57)【特許請求の範囲】
【請求項１】
車体前側上部の開口を上方から覆うように設けられ、前記開口の後部で車幅方向に延びる回動軸を中心に前記開口を開閉自在なフードと、
前記フードの前側下面及び前記車体の前記開口の前側上面の何れか一方に固定され、前記フードの閉鎖時の荷重を吸収するダンパゴムと、
前記前側下面及び前記前側上面の何れか他方に形成され、前記フードの閉鎖時に前記ダンパゴムと接触する座面と、を備え、
前記座面が、車両前後方向に線状に延びて凹設されたビード部を有し、
前記ダンパゴムのうち前記座面に対向する上面又は下面と前記座面との何れか一方が、前記上面又は下面と前記座面との何れか他方に対して前記フードの閉鎖状態で車両前方又は車両後方に傾斜した傾斜面部として設けられる
ことを特徴とする、車体前部構造。
【請求項２】
前記ビード部は、その車両前後方向長さが前記ダンパゴムのうち前記座面に対向する上面又は下面の車両前後方向長さよりも長い
ことを特徴とする、請求項１記載の車体前部構造。
【請求項３】
前記ビード部が、前記座面の車幅方向中央に一本設けられる
ことを特徴とする、請求項１又は２記載の車体前部構造。
【請求項４】
前記座面が、前記傾斜面部として設けられる
ことを特徴とする、請求項１〜３のいずれか１項に記載の車体前部構造。
【請求項５】
前記座面が、前記前側下面又は前記前側上面から突設又は凹設される
ことを特徴とする、請求項１〜４の何れか１項に記載の車体前部構造。
【発明の詳細な説明】
【技術分野】
【０００１】
本発明は、自動車の車体前部構造に関し、特にフード閉鎖時の荷重を受けるダンパゴム及び座面の構造に関する。
【背景技術】
【０００２】
自動車のエンジンルームを覆うフードは、その後端部が車体に固定され、前側が上下方向に移動するように回動してエンジンルームを開閉する。車体のエンジンルームよりも前側部分には、フードを閉じる時のフードの荷重（負荷，エネルギ）を吸収するダンパゴムが配置され、フードの前側下面には、フードを閉じる時にダンパゴムを受ける座面が設けられる。あるいは、ダンパゴムがフード側に設けられ、座面が車体側に設けられることもある。これらダンパゴム及び座面は、フードが閉じた状態（静止状態）では、対向する面同士が平行となるように設けられ、フード閉鎖時の荷重を面全体で受けることができるようになっている。
【０００３】
ところで、近年のフードは、歩行者との接触時を想定して、外力が加わったときにその外力を吸収し、歩行者が受ける力を緩和するように形成されている。例えば、外力によって変形しやすいようにフードの剛性を必要最小限まで抑えたものや、外力が加わったときに積極的に変形する箇所をフードに設けたものがある（例えば特許文献１，２参照）。
【先行技術文献】
【特許文献】
【０００４】
【特許文献１】特開２０１１−２４０８１５号公報
【特許文献２】特開２００８−７４１５８号公報
【発明の概要】
【発明が解決しようとする課題】
【０００５】
しかしながら、上記のように剛性が低く抑えられたフードを有する車体の場合、フードを高い位置から落として閉めた場合や勢いよく閉めた場合など、閉鎖時に大きな荷重が作用すると、フードが撓むことがある。この場合、ダンパゴム及び座面の対向する面同士は、フードの閉鎖時に平行には当たらず、車両前方又は車両後方の限られた範囲で当たることが多い。このように、フード閉鎖時にダンパゴムと座面とが一部分（車両前方又は車両後方）で当たることになると、その部分に荷重が集中して座面が変形し、見栄えの悪化を招くこととなる。つまり、フードの剛性を低く抑えても、フード閉鎖時の座面の変形を防ぐことができるような構造が求められている。
【０００６】
本件は、上記のような課題に鑑み創案されたものであり、フード閉鎖時の座面の変形を抑制することができるようにした、車体前部構造を提供することを目的の一つとする。なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【０００７】
（１）ここで開示する車体前部構造は、車体前側上部の開口を上方から覆うように設けられ、前記開口の後部で車幅方向に延びる回動軸を中心に前記開口を開閉自在なフードと、前記フードの前側下面及び前記車体の前記開口の前側上面の何れか一方に固定され、前記フードの閉鎖時の荷重を吸収するダンパゴムと、前記前側下面及び前記前側上面の何れか他方に形成され、前記フードの閉鎖時に前記ダンパゴムと接触する座面と、を備える。また、前記座面は、車両前後方向に線状に延びて凹設されたビード部を有し、前記ダンパゴムのうち前記座面に対向する上面又は下面と前記座面との何れか一方が、前記上面又は下面と前記座面との何れか他方に対して前記フードの閉鎖状態で車両前方又は車両後方に傾斜した傾斜面部として設けられる。
【０００８】
（２）前記ビード部は、その車両前後方向長さが前記ダンパゴムのうち前記座面に対向する上面又は下面の車両前後方向長さよりも長いことが好ましい。
（３）前記ビード部が、前記座面の車幅方向中央に一本設けられることが好ましい。
【０００９】
（４）前記座面が、前記傾斜面部として設けられることが好ましい。
（５）前記座面が、前記前側下面又は前記前側上面から突設又は凹設されることが好ましい。すなわち、前記座面が、その板厚方向（厚み方向）に段差を有することが好ましい。
【発明の効果】
【００１０】
開示の車体前部構造によれば、ダンパゴムを受ける座面が、車両前後方向に延びて凹設されたビード部を有するため、座面の剛性を高めることができる。また、フード閉鎖時に、座面の車両前方又は車両後方の範囲に荷重が集中的に作用しても、ビード部によって荷重の集中する範囲を小さくすることができる。さらに、ダンパゴムのうち座面に対向する上面又は下面と座面との何れか一方が他方に対してフードの閉鎖状態で車両前方又は車両後方に傾斜した傾斜面部として設けられるため、フードを強く閉鎖したときにダンパゴムの上面又は下面と座面とが広い面で面接触することになる。これらによって、フード閉鎖時の座面の変形を抑制することができ、見栄え（意匠性）を向上させることができる。
【図面の簡単な説明】
【００１１】
【図１】車体前部構造を説明する断面図であり、（ａ）はフードの閉鎖状態（静止状態）を示し、（ｂ）はフードを強く閉鎖したときの閉鎖時を示す。
【図２】（ａ）及び（ｂ）は図１（ａ）及び（ｂ）の状態にそれぞれ対応した変形例であって要部を簡略化した側面図であり、（ｃ）は座面の形状を示す図である。
【図３】車体前部構造が適用された車両の前部を示す側面図である。
【図４】第一変形例に係る車体前部構造の要部を簡略化した図であり、（ａ）はフードの閉鎖状態を示し、（ｂ）はフードを強く閉鎖したときの閉鎖時を示す。
【図５】第二変形例に係る車体前部構造の要部を簡略化した図であり、（ａ）はフードの閉鎖状態を示し、（ｂ）はフードを強く閉鎖したときの閉鎖時を示す。
【図６】第三変形例に係る車体前部構造の要部を簡略化した図であり、（ａ）はフードの閉鎖状態を示し、（ｂ）はフードを強く閉鎖したときの閉鎖時を示す。
【発明を実施するための形態】
【００１２】
以下、図面により実施の形態について説明する。なお、以下に示す実施形態はあくまでも例示に過ぎず、以下の実施形態で明示しない種々の変形や技術の適用を排除する意図はない。以下の実施形態の各構成は、それらの趣旨を逸脱しない範囲で種々変形して実施することができるとともに、必要に応じて取捨選択することができ、あるいは適宜組み合わせることが可能である。以下の説明では、車両の進行方向を前方とし、前方を基準に左右を定め、重力の方向を下方とし、その逆を上方として説明する。
【００１３】
［１．構成］
本実施形態に係る車体前部構造について、図１〜図３を用いて説明する。図１（ａ）及び（ｂ）は車体前部のダンパゴム１０を通る縦断面図であって、（ａ）はフードの閉鎖状態（静止状態）を示し、（ｂ）はフードを強く閉鎖したときの閉鎖時（閉鎖された瞬間）の状態を示す。図２（ａ）及び（ｂ）は、図１（ａ）及び（ｂ）の状態にそれぞれ対応した変形例であって要部を簡略化した図であり、図２（ｃ）は座面３３を正面から見たときの図である。なお、図２（ｃ）には、座面３３に接触するダンパゴム１０の上面１０ａを二点鎖線で示す。また、図３は車体前部構造が適用された車両の側面図である。
【００１４】
図３に示すように、本実施形態の車体前部構造は、車両１の車体前側上部の開口２を上方から覆うように設けられたフード３を備える。開口２は、車体前側に位置するエンジンルーム（図示略）の上方に開放された開口である。エンジンルームは、車幅方向（左右方向）両側において車両前後方向に延在する左右のフロントインサイドパネルと、車両前端部に配置されて車幅方向に延設されたフロントクロスバー（フロントクロスメンバー）と、フロントクロスバーよりも車両後方で車幅方向に延在するダッシュパネルとで囲まれた空間に相当する。
【００１５】
図３に示すように、フード３は、車体前端部の左右に設けられたヘッドライト４の間から車両後方（以下、後方という）に亘って車体上面を形成する。フード３は、その後部（開口２の後部）で車幅方向に延びる回動軸Ｃを有し、回動軸Ｃを中心に前側が上下方向に移動して開口２を開閉する。回動軸Ｃは、フード３の開閉時の回動中心となる仮想的な軸であり、例えばフード３が左右の後端部（基端部）に設けられたヒンジ（図示略）を介して車体に固定される場合には、左右のヒンジの軸心を結んだ仮想線に相当する。
【００１６】
フード３及びヘッドライト４の下側には、車両前方（以下、前方という）からの衝撃を吸収するためのフロントバンパ５が設けられる。フロントバンパ５の上端部は、図１（ａ）及び（ｂ）に示すように、車体の開口２の前側上面６（例えばフロントバーの上面）に取り付けられる。この前側上面６は、開口２の枠（開口枠）のうち前方の部位の上面に相当する。前側上面６には、フード３の閉鎖時の荷重（負荷，エネルギ）を吸収するダンパゴム１０が固定される。
【００１７】
ダンパゴム１０は、略円柱状のゴム部材（弾性体）であり、車幅方向に間隔をあけて複数箇所に（例えば二箇所に）固定される。本実施形態のダンパゴム１０は、その軸心が上下方向に対して、上方が前方へ傾くような向きで固定されている。ダンパゴム１０の上面１０ａは、円形の平面であって、その法線が上方かつ前方に向かって延び、ダンパゴム１０の軸心と平行になるように形成されている。
【００１８】
フード３は、前方に向かって曲面状に下降傾斜して形成されるとともに車両１の外面を構成するアウタパネル３１と、アウタパネル３１の内側（下側）に設けられる補強用のインナパネル３２とを有する。インナパネル３２は、アウタパネル３１との間に空間を形成しつつアウタパネル３１に沿って設けられ、その外周縁部でアウタパネル３１に接合される。インナパネル３２の前端部には、アウタパネル３１から離隔する方向に膨出形成された膨出部３２ａが設けられる。膨出部３２ａは、アウタパネル３１との間の空間が他部よりも大きくなるように湾曲形成された部位であり、車幅方向に延設される。
【００１９】
フード３は、フード３の閉鎖時にダンパゴム１０と接触する（ダンパゴム１０を受ける）座面３３を前側下面３ｂに有する。座面３３とダンパゴム１０の上面１０ａとは、互いに対向する対向面である。本実施形態の座面３３は、図１（ａ）及び（ｂ）に示すように、インナパネル３２の膨出部３２ａの下方に向いた面（前側下面３ｂ）に凹んで（アウタパネル３１側に突出して）形成されている。座面３３は、ダンパゴム１０と同様に車幅方向に間隔をあけて複数箇所に（ダンパゴム１０の個数と同じ個数だけ）設けられる。座面３３は、ダンパゴム１０の上面１０ａ全体を受け止められるように、上面１０ａに対して余裕を持った大きさに形成される。
【００２０】
なお、座面３３は、図１（ａ）及び（ｂ）に示すような凹設されたものに限られない。例えば、図２（ａ）及び（ｂ）に示すように、座面３３がフード３の前側下面３ｂからダンパゴム１０側に突設されていてもよい。すなわち、ダンパゴム１０を受ける座面３３は、座面３３が設けられる面（前側下面３ｂ）から突設又は凹設されている（厚み方向に段差を有する）ことが好ましい。
【００２１】
図２（ａ）〜（ｃ）に示すように、座面３３は、車両前後方向に線状に延びて凹設されたビード部３４を有する。本実施形態のビード部３４は、座面３３の車幅方向の中央に一本設けられ、車両前後方向長さＢを有する長円状に形成される。ビード部３４は、その車両前後方向長さＢがダンパゴム１０の上面１０ａの車両前後方向長さＤよりも長く、座面３３の車両前後方向長さＳよりも短くなるように形成される。
【００２２】
フード３の後端部（基端部）には、フード３を常に開放方向へ付勢する付勢手段（図示略）が設けられる。また、フード３及び車体側には、フード３の閉鎖状態を維持する（フード３をロックする）図示しないロック機構が設けられる。ロック機構は、例えば、フード３の前側下面３ｂの車幅方向中央に設けられたストライカと、車体側であってストライカに対応する位置に設けられたラッチとで構成される。フード３は、付勢手段によって開放方向へ常に付勢されているが、ロック機構によってロックされると閉鎖状態が維持される。なお、この閉鎖状態では、座面３３とダンパゴム１０の上面１０ａとが接触することはあっても、フード３の荷重が座面３３を介してダンパゴム１０に加わることはない。ダンパゴム１０及び座面３３は、例えばロック機構の両側にそれぞれ設けられる。
【００２３】
フード３は、歩行者との接触時（衝突時）を考慮して、フード３に加わる外力（衝撃）を効果的に吸収しうるように、アウタパネル３１及びインナパネル３２の板厚が何れも小さく形成され、その剛性が低く（必要最小限に）抑えられている。なお、インナパネル３２には、重量及び剛性を抑えるための孔部が形成されている場合もある。このため、フード３は、高い位置から落として閉鎖された場合や勢いよく閉鎖された場合など、強く閉鎖された場合に大きな荷重が作用して、前端部に撓みが発生しうる。
【００２４】
そこで、本実施形態の車体前部構造は、図１（ａ）及び図２（ａ）に示すように、フード３の座面３３が、ダンパゴム１０の上面１０ａに対してフード３の閉鎖状態で車両後方に傾斜した傾斜面部３３ｃとして設けられている。すなわち、フード３の閉鎖状態では、傾斜面部３３ｃ（座面３３）の法線とダンパゴム１０の上面１０ａの法線とが平行にはならず、傾斜面部３３ｃがダンパゴム１０の上面１０ａに対して斜めに設けられる。
【００２５】
以下、フード３とダンパゴム１０との対向面に形成された傾斜の方向を説明する際には、その傾斜面に対向する面を水平に見立てた状態で下方に位置するのが前方であるか後方であるかを表現する。例えば、傾斜面部３３ｃは、図２（ａ）に示すように、車両後方に下降傾斜した姿勢で配置される。これにより、傾斜面部３３ｃとダンパゴム１０の上面１０ａとの間には、楔状の隙間７が形成される。本実施形態の隙間７は、前側が広く、後方に行くに連れて狭くなる楔状の空間であり、車幅方向に一様に形成される。
【００２６】
傾斜面部３３ｃの上面１０ａに対する傾斜角度及び傾斜方向は、フード３の閉鎖時に発生しうるフード３の瞬間的な撓みを考慮して設定される。具体的には、図１（ｂ）及び図２（ｂ）に示すように、フード３の閉鎖時に対向する面同士（上面１０ａ及び座面３３）が平行になるように、ダンパゴム１０の上面１０ａに対する傾斜角度が設定される。また、傾斜面部３３ｃが傾斜する方向（車両前方に向かって下降傾斜するか、車両後方に向かって下降傾斜するか）についても、フード３の閉鎖時に生じる瞬間的な撓みを考慮して設定される。
【００２７】
［２．作用，効果］
座面３３にフード３の荷重が作用するフード３の閉鎖時には、ダンパゴム１０及び座面３３に対して上下方向の力が作用する。これは、フード３が後部の回動軸Ｃを中心に、前側が上下方向に移動するように回動するためである。この閉鎖時にフード３が撓んだ場合、ダンパゴム１０及び座面３３は、対向する面同士（上面１０ａ及び座面３３）が平行には当たらず、車両前方又は車両後方の限られた範囲で当たることが多い。このように、フード３の閉鎖時にダンパゴム１０と座面３３とが一部分（車両前方又は車両後方）で当たることになると、その部分に集中的に荷重が作用して、座面３３が変形する可能性がある。
【００２８】
これに対し、上述の車体前部構造では、ダンパゴム１０を受ける座面３３に、車両前後方向に線状に延びて凹設されたビード部３４が設けられるため、座面３３の剛性を高めることができるとともに、荷重の集中する範囲を小さくすることができる。これにより、フード３の閉鎖時の座面３３の変形を抑制することができ、見栄え（意匠性）を向上させることができる。
【００２９】
また、上述の車体前部構造では、ビード部３４の車両前後方向長さＢが、ダンパゴム１０の上面１０ａの車両前後方向長さＤよりも長く形成されている。すなわち、座面３３に当たるダンパゴム１０の上面１０ａを横切るようにビード部３４が設けられるため、座面３３の剛性が高められ、座面３３の変形をより抑制することができる。
【００３０】
また、座面３３は、ダンパゴム１０の上面１０ａを受けることができる大きさに形成されているため、ビード部３４を設けるスペースが小さい（スペース制約が大きい）という課題がある。これに対し、上述の車体前部構造では、ビード部３４が座面３３の車幅方向中央に一本設けられるため、ビード部３４の車両前後方向長さＢを確保しやすく、スペース制約にも対応することができる。
【００３１】
上述の車体前部構造では、フード３の座面３３が、ダンパゴム１０の上面１０ａに対してフード３の閉鎖状態で車両後方に傾斜した傾斜面部３３ｃとして設けられている。そのため、フード３を強く閉鎖した場合には、図１（ｂ）及び図２（ｂ）に示すように、フード３の閉鎖時にダンパゴム１０の上面１０ａと座面３３とが広い面で面接触することになる。
【００３２】
一方で、フード３を静かに閉めた場合には、図１（ａ）及び図２（ａ）に示すように、フード３の閉鎖時にダンパゴム１０の上面１０ａの一部と座面３３とが接触することになる。しかし、この場合は座面３３に作用する荷重が小さいため、ダンパゴム１０の上面１０ａと座面３３とが部分的に接触したとしても、座面３３の変形を招く可能性は低い。また、フード３の閉鎖状態では、図１（ａ）及び図２（ａ）に示すように、仮にダンパゴム１０の上面１０ａの一部と座面３３とが接触していたとしても、付勢手段とロック機構とによって、座面３３に作用するフード３の荷重は小さいものとされるため、座面３３の変形を招くことはほとんどない。
【００３３】
このように、上述の車体前部構造では、座面３３が傾斜面部３３ｃとして設けられるため、フード３を強く閉鎖した場合の閉鎖時（座面３３にフード３の荷重が大きく作用する時）に、ダンパゴム１０の上面１０ａと座面３３とが広い面で接触することになる。これにより、フード３の閉鎖時の荷重を面全体に分散させることができる。したがって、フード３の剛性を低く抑えることによりフード３の閉鎖時に撓みが生じても、フード３の閉鎖時に座面３３に作用する荷重集中を防止して、座面３３の変形をより抑制することができ、見栄え（意匠性）を向上させることができる。
【００３４】
また、フード３は、板金のプレス加工などによって成形されるものであり、座面３３はフード３の成形時に一体で成形される。上述の車体前部構造では、座面３３が傾斜面部３３ｃとして設けられるため、従来からの成形工程に、座面３３を車両前方又は車両後方に所定角度だけ傾けるという工夫を追加するだけでよい。このため、加工コストや加工工数の増大を抑制しながら、傾斜面部３３ｃを容易に加工することができる。
【００３５】
また、上述の車体前部構造では、座面３３がフード３の前側下面３ｂから突設又は凹設されるため、座面３３の剛性を高めることができ、座面３３の変形をさらに抑制することができる。
【００３６】
［３．その他］
以上、本発明の実施形態を説明したが、本発明は上記実施形態に限定されるものではなく、本発明の趣旨を逸脱しない範囲で種々変形して実施することができる。
上述の実施形態では、ダンパゴム１０が車体の開口２の前側上面６に設けられ、座面３３がフード３の前側下面３ｂに設けられるとともに、座面３３が傾斜面部３３ｃとして設けられた車体前部構造を説明したが、ダンパゴム１０及びこれを受ける座面３３の構成は上述のものに限られない。これらの変形例について、図４〜図６を用いて説明する。各図において、（ａ）はフード３の閉鎖状態を示し、（ｂ）はフード３を強く閉鎖したときの閉鎖時を示す。なお、これらの変形例において、上述の実施形態や各変形例の中で同一の構成要素については同一の符号を付し、重複する説明は省略する。
【００３７】
［３−１．第一変形例］
図４（ａ）及び（ｂ）に示すように、第一変形例に係る車体前部構造は、ダンパゴム１０がフード３の前側下面３ｂに固定され、座面６３が車体の開口２の前側上面６に形成されるとともに前側上面６からダンパゴム１０側に突設されている。座面６３とダンパゴム１０の下面１０ｂとは、互いに対向する対向面である。座面６３には、車両前後方向に線状に延びて凹設されたビード部６４が、車幅方向中央に一本設けられている。ビード部６４は、上述のビード部３４と同様、車両前後方向長さがダンパゴム１０の下面１０ｂの車両前後方向長さよりも長く形成されている。
【００３８】
本変形例では、座面６３が、ダンパゴム１０の下面１０ｂに対してフード３の閉鎖状態で車両前方に下降傾斜した傾斜面部６３ｃとして設けられている。すなわち、フード３の閉鎖状態では、図４（ａ）に示すように、傾斜面部６３ｃ（座面６３）の法線とダンパゴム１０の下面１０ｂの法線とが平行にはならず、傾斜面部６３ｃがダンパゴム１０の下面１０ｂに対して斜めに設けられる。これにより、傾斜面部６３ｃとダンパゴム１０の下面１０ｂとの間には、上述と同様の楔状の隙間７が形成される。
【００３９】
傾斜面部６３ｃの下面１０ｂに対する傾斜角度及び傾斜方向は、上述の実施形態と同様に、フード３の閉鎖時に発生しうるフード３の瞬間的な撓みを考慮して設定される。具体的には、図４（ｂ）に示すように、フード３の閉鎖時に対向する面同士（下面１０ｂ及び座面６３）が平行になるように、ダンパゴム１０の下面１０ｂに対する傾斜角度が設定される。また、傾斜面部６３ｃが傾斜する方向（車両前方に向かって下降傾斜するか、車両後方に向かって下降傾斜するか）についても、フード３の閉鎖時に生じる瞬間的な撓みを考慮して設定される。
【００４０】
したがって、本変形例の車体前部構造においても、上述の実施形態と同様に、ビード部６４によって座面６３の剛性が高められるとともに、荷重の集中する範囲を小さくすることができ、上述と同様の効果を得ることができる。また、フード３を強く閉鎖したときの閉鎖時（座面６３にフード３の荷重が大きく作用する時）に、ダンパゴム１０の下面１０ｂと座面６３とが広い面で接触することになる。これにより、フード３の閉鎖時の荷重を面全体に分散させることができ、上述の実施形態と同様の効果を得ることができる。
【００４１】
［３−２．第二変形例］
図５（ａ）及び（ｂ）に示すように、第二変形例に係る車体前部構造は、上記実施形態と同様に、ダンパゴム１０が車体の開口２の前側上面６に固定され、座面３３がフード３の前側下面３ｂに形成されるとともに前側下面３ｂからダンパゴム１０側に突設されている。座面３３とダンパゴム１０の上面１０ａとは、互いに対向する対向面である。座面３３には、上述の実施形態と同様に、車両前後方向に線状に延びて凹設されたビード部３４が、車幅方向中央に一本設けられている。
【００４２】
本変形例では、ダンパゴム１０の上面１０ａが、座面３３に対してフード３の閉鎖状態で車両前方に下降傾斜した傾斜面部１０ｃとして設けられている。すなわち、フード３の閉鎖状態では、図５（ａ）に示すように、傾斜面部１０ｃ（ダンパゴム１０の上面１０ａ）の法線と座面３３の法線とが平行にはならず、傾斜面部１０ｃが座面３３に対して斜めに設けられる。これにより、傾斜面部１０ｃと座面３３との間には、上述と同様の楔状の隙間７が形成される。
【００４３】
傾斜面部１０ｃの座面３３に対する傾斜角度及び傾斜方向は、上述の実施形態と同様に、フード３の閉鎖時に発生しうるフード３の瞬間的な撓みを考慮して設定される。具体的には、図５（ｂ）に示すように、フード３の閉鎖時に対向する面同士（上面１０ａ及び座面３３）が平行になるように、座面３３に対する傾斜角度が設定される。また、傾斜面部１０ｃが傾斜する方向（車両前方に向かって下降傾斜するか、車両後方に向かって下降傾斜するか）についても、フード３の閉鎖時に生じる瞬間的な撓みを考慮して設定される。
【００４４】
したがって、本変形例の車体前部構造においても、上述の実施形態と同様に、ビード部３４によって座面３３の剛性が高められるとともに、荷重の集中する範囲を小さくすることができ、上述と同様の効果を得ることができる。また、フード３を強く閉鎖したときの閉鎖時（座面３３にフード３の荷重が大きく作用する時）に、ダンパゴム１０の上面１０ａと座面３３とが広い面で接触することになる。これにより、フード３の閉鎖時の荷重を面全体に分散させることができ、上述の実施形態と同様の効果を得ることができる。
【００４５】
［３−３．第三変形例］
図６（ａ）及び（ｂ）に示すように、第三変形例に係る車体前部構造は、第一変形例と同様に、ダンパゴム１０がフード３の前側下面３ｂに固定され、座面６３が車体の開口２の前側上面６に形成されるとともに前側上面６からダンパゴム１０側に突設されている。座面６３とダンパゴム１０の下面１０ｂとは、互いに対向する対向面である。座面６３には、第一変形例と同様に、車両前後方向に線状に延びて凹設されたビード部６４が、車幅方向中央に一本設けられている。
【００４６】
本変形例では、ダンパゴム１０の下面１０ｂが、座面６３に対してフード３の閉鎖状態で車両後方に下降傾斜した傾斜面部１０ｃとして設けられている。すなわち、フード３の閉鎖状態では、図６（ａ）に示すように、傾斜面部１０ｃ（ダンパゴム１０の下面１０ｂ）の法線と座面６３の法線とが平行にはならず、傾斜面部１０ｃが座面６３に対して斜めに設けられる。これにより、傾斜面部１０ｃと座面６３との間には、上述と同様の楔状の隙間７が形成される。
【００４７】
傾斜面部１０ｃの座面６３に対する傾斜角度及び傾斜方向は、上述の実施形態と同様に、フード３の閉鎖時に発生しうるフード３の瞬間的な撓みを考慮して設定される。具体的には、図６（ｂ）に示すように、フード３の閉鎖時に対向する面同士（下面１０ｂ及び座面６３）が平行になるように、座面６３に対する傾斜角度が設定される。また、傾斜面部１０ｃが傾斜する方向（車両前方に向かって下降傾斜するか、車両後方に向かって下降傾斜するか）についても、フード３の閉鎖時に生じる瞬間的な撓みを考慮して設定される。
【００４８】
したがって、本変形例の車体前部構造においても、上述の実施形態と同様に、ビード部６４によって座面６３の剛性が高められるとともに、荷重の集中する範囲を小さくすることができ、上述と同様の効果を得ることができる。また、フード３を強く閉鎖したときの閉鎖時（座面６３にフード３の荷重が大きく作用する時）に、ダンパゴム１０の下面１０ｂと座面６３とが広い面で接触することになる。これにより、フード３の閉鎖時の荷重を面全体に分散させることができ、上述の実施形態と同様の効果を得ることができる。
【００４９】
［３−４．その他］
ダンパゴム１０の大きさ，形状，個数，配置は特に限られず、例えば角柱状や円盤状のゴム部材であってもよいし、車幅方向に三つ以上配置されていてもよい。また、ダンパゴム１０が車体の開口２の前側上面６に対して垂直に固定されていてもよい。
また、座面３３，６３の形状は特に限定されず、上述の実施形態のように、フード３の前側下面３ｂ又は車体の開口２の前側上面６から突設又は凹設されて（厚み方向に段差を有して形成されて）いなくてもよい。
【００５０】
また、座面３３，６３に形成されるビード部３４，６４の長さや位置，個数は上述のものに限られない。例えば、車両前後方向に線状に延びて凹設されたビード部３４，６４が、座面３３，６３の車幅方向に並んで二本形成されていてもよいし、車両前後方向長さがダンパゴム１０の上面１０ａ又は下面１０ｂの車両前後方向長さと同等か、やや短く形成されていてもよい。なお、座面３３，６３の大きさは、ダンパゴム１０の上面１０ａ又は下面１０ｂよりも大きく形成されていればよい。また、座面３３，６３の個数は、ダンパゴム１０の個数と同一であり、座面３３，６３の位置は、ダンパゴム１０の配置に対応して設定される。
【００５１】
また、ダンパゴム１０ののうち座面３３に対向する上面１０ａ又は下面１０ｂと座面３３，６３との何れか一方が、何れか他方に対してフード３の閉鎖状態で車両前方又は車両後方に傾斜した傾斜面部１０ｃ，３３ｃとして設けられていなくてもよい。すなわち、ダンパゴム１０と座面３３とが、対向する面同士がフード３の閉鎖状態で平行になるように設けられていてもよい。
【符号の説明】
【００５２】
１  車両
２  開口
３  フード
３ｂ  前側下面
６  前側上面
１０  ダンパゴム
１０ａ  上面
１０ｂ  下面
１０ｃ  傾斜面部
３３，６３  座面
３３ｃ，６３ｃ  傾斜面部
３４，６４  ビード部
Ｃ  回動軸
【図１】
0006435777.tif 000002
【図２】
0006435777.tif 000003
【図３】
0006435777.tif 000004
【図４】
0006435777.tif 000005
【図５】
0006435777.tif 000006
【図６】
0006435777.tif 000007